(57)【要約】【課題】  マイク録音に関し作業性を向上させた情報記録再生装置を実現する。【解決手段】  情報記録再生装置１０とセットとして用いられるリモコン３０は、ヘッドホン３４およびマイク３５の何れかをリモコン３０に対して接続可能とするヘッドホン／マイク兼用ジャック３３を備えている。情報記録再生装置１０とリモコン３０とは、制御信号ライン（ラインＡ）と再生用音声ライン（ラインＢ）と録音用音声ライン（ラインＣ）とを一体化したケーブル３６にて接続される。【選択図】  図１
2005339614.tif 000002
【特許請求の範囲】
【請求項１】
装置本体に着脱可能な記録媒体に対して音声データの記録／再生を行う装置本体と、リモコンユニットとからなる情報記録再生装置において、
上記リモコンユニットは、ヘッドホンおよびマイクが着脱自在に接続可能であり、
上記装置本体とリモコンユニットとの間は、リモコンユニットによって装置本体を制御するための制御信号ラインと、装置本体からヘッドホンに音声信号を伝達するための再生用音声ラインと、マイクから装置本体からヘッドホンに音声信号を伝達するための録音用音声ラインとを介して接続されていることを特徴とする情報記録再生装置。
【請求項２】
上記リモコンユニットは、ヘッドホンを挿入するためのヘッドホンジャックと、マイクを挿入するためのマイクジャックとが兼用された、ヘッドホン／マイク兼用ジャックを有していることを特徴とする請求項１に記載の情報記録再生装置。
【請求項３】
上記リモコンユニットは、上記ヘッドホン／マイク兼用ジャックにヘッドホンまたはマイクが挿入された場合、その何れが挿入されたかを検知する検知手段と、
上記検知手段の検知結果に基づいて、上記ヘッドホン／マイク兼用ジャックに接続されるラインを、上記再生用音声ラインと上記録音用音声ラインとの間で切り替えるライン切替手段とを備えていることを特徴とする請求項２に記載の情報記録再生装置。
【請求項４】
上記リモコンユニットが、装置本体に対して着脱可能であることを特徴とする請求項１に記載の情報記録再生装置。
【発明の詳細な説明】
【技術分野】
【０００１】
本発明は、装置本体に対して着脱可能な記録媒体に、音声データの記録／再生を可能とする情報記録再生装置に関し、特に、リモコンユニットを有すると共に、マイクによる音声データの記録（マイク録音）が可能な情報記録再生装置に関するものである。
【背景技術】
【０００２】
装置本体に対して記録媒体が着脱可能であり、該記録媒体に対する音声データの記録、および該記録媒体に記録されている音声データの再生を可能とする情報記録再生装置では、装置を遠隔操作するためのリモコンユニットが通常備えられている。また、このような情報記録再生装置には、マイクによる音声データの記録（マイク録音）が可能な機種もある。
【０００３】
このように、リモコンユニットが具備されているおり、かつ、マイクによる音声データの記録（マイク録音）が可能である情報記録再生装置について、その従来の構成例を図８および図９に基づいて説明すれば、以下の通りである。
【０００４】
上記情報記録再生装置は、光磁気ディスクに、音声データ等のアナログ情報をヂジタル化して記録するようになっており、したがって、光磁気ディスクには、音声データ等のアナログ情報がデジタル化して書き込まれるための記憶領域が存在する。
【０００５】
図８に示す情報記録再生装置１５０は、その本体内部に、ピックアップ１０１、ＲＦ回路１０２、ＤＳＰ（Digital Signal Processor）１０３、１ビットアンプ１０４、ヘッドホンジャック１０５、マイクジャック１０６、マイクアンプ１０７、Ａ／Ｄコンバータ１０８、記録ヘッド１０９、システムマイコン１１０、表示部１１１、およびキー１１２を備えている。
【０００６】
また、上記情報記録再生装置１５０は、これとセットとして用いられるリモコン２０１を有している。リモコン２０１は、表示部２０２と入力キー２０３とを備えている。さらに、リモコン２０１には、ヘッドホン３０１が接続される。
【０００７】
図８および図９に示すように、マイク２０４は、情報記録再生装置１５０のマイクジャック１０６に接続されて使用される。また、ヘッドホン３０１はリモコン２０１に接続されているため、リモコン２０１とヘッドホン３０１とは、リモコン用の制御信号線とヘッドホン用の音声信号線とが一体化されたケーブル２０５を介して、情報記録再生装置１５０のヘッドホンジャック１０５に接続されて使用される。
【０００８】
上記情報記録再生装置１５０において、記録媒体であるディスク１００を再生する場合の信号の流れを説明すると以下のとおりである。
【０００９】
ディスク１００に記録されている信号は、ピックアップ１０１で読み取られ、ＲＦ回路１０２で一定のレベルまで増幅された後、ＤＳＰ１０３で所定の信号処理を施される。その信号は、１ビットアンプ１０４で増幅され、ヘッドホンジャック１０５に出力される。そこからケーブル２０５およびリモコン２０１を経由してヘッドホン３０１から操作者の耳に音声となって出力される。
【００１０】
次に、上記情報記録再生装置１５０において、記録媒体であるディスク１００にマイク録音を行う場合の信号の流れを説明すると以下のとおりである。
【００１１】
外部マイク２０４から入力された操作者の声あるいは周囲の音声は、電気信号に変換され、マイクジャック１０６から情報記録再生装置１５０に入力される。その信号は、マイクアンプ１０７で一定のレベルまで増幅された後、Ａ／Ｄコンバータ１０８でＡ／Ｄ変換されてデジタル信号となる。この信号は、ＤＳＰ１０３内で所定の処理をされた後、記録ヘッド１０９からディスク１００に記録される。
【００１２】
システムマイコン１１０は、表示部１１１、入力キー１１２、またはリモコンの表示部２０２、入力キー２０３を介しての操作者の入力に対してシステム全体を制御する。
【特許文献１】特開平５−９１５８４号公報（公開日１９９３年４月９日）
【発明の開示】
【発明が解決しようとする課題】
【００１３】
ところが、上記従来の情報記録再生装置の構成においては、ディスクにマイク録音する場合、操作者が記録再生装置本体のマイクジャックにマイクを挿入し、リモコンに備え付けられたキーおよび表示部を見ながら録音をすることが必要であった。すなわち、操作者は、マイク（一般的には別売り）を機器本体のマイクジャックに挿入し、ここで始めてマイク録音が可能な状態となる。このため、従来では、マイク録音するための実際的な手順がはなはだ多く、操作性の向上が強く要望されている。
【００１４】
本発明は、上記の問題点に鑑みてなされたものであり、その目的は、マイク録音に関し作業性を向上させた情報記録再生装置を実現することにある。
【課題を解決するための手段】
【００１５】
本発明に係る情報記録再生装置は、上記課題を解決するために、装置本体に着脱可能な記録媒体に対して音声データの記録／再生を行う装置本体と、リモコンユニットとからなる情報記録再生装置において、上記リモコンユニットは、ヘッドホンおよびマイクが着脱自在に接続可能であり、上記装置本体とリモコンユニットとの間は、リモコンによって装置本体を制御するための制御信号ラインと、装置本体からヘッドホンに音声信号を伝達するための再生用音声ラインと、マイクから装置本体からヘッドホンに音声信号を伝達するための録音用音声ラインとを介して接続されていることを特徴としている。
【００１６】
上記の構成によれば、リモコンユニットにおいて、ヘッドホンおよびマイクが着脱自在に接続可能であり、上記装置本体とリモコンユニットとの間は、制御信号ラインと、再生用音声ラインと、録音用音声ラインとを介して接続されている。
【００１７】
このため、特にマイク録音時において、マイクは、装置本体のマイクジャックに接続されるのではなく、操作者の手元にあるリモコンユニットのマイクジャックに接続される。このような情報記録再生装置では、操作者がマイク接続の作業が行いやすくなり、マイク録音時における操作性が向上する。
【００１８】
また、上記情報記録再生装置において、上記リモコンユニットは、ヘッドホンを挿入するためのヘッドホンジャックと、マイクを挿入するためのマイクジャックとが兼用された、ヘッドホン／マイク兼用ジャックを有していることが好ましい。
【００１９】
上述のように、ヘッドホンおよびマイクの両方を接続可能な情報記録再生装置においても、録音時に使用されるマイクと再生時に使用されるヘッドホンとの両方をリモコンに同時に接続する必要はない。このことから、上記リモコンユニットにおいて、ヘッドホンジャックとマイクジャックとを兼用した一つのジャックを備えることによって、リモコンユニットの大型化を防止することができる。また、ヘッドホンジャックとマイクジャックとを兼用した一つのジャックを備えることにより、操作者は、接続するマイクあるいはヘッドホンを接続する場合に、ジャックの種類を確認する必要が無く、より操作性が向上する。
【００２０】
また、上記情報記録再生装置において、上記リモコンユニットは、上記ヘッドホン／マイク兼用ジャックにヘッドホンまたはマイクが挿入された場合、その何れが挿入されたかを検知する検知手段と、上記検知手段の検知結果に基づいて、上記ヘッドホン／マイク兼用ジャックに接続されるラインを、上記再生用音声ラインと上記録音用音声ラインとの間で切り替えるライン切替手段とを備えている構成とすることができる。
【００２１】
上記リモコンユニットにおいてヘッドホン／マイク兼用ジャックを使用する場合、ヘッドホンまたはマイクを使用するそれぞれの場合に、ヘッドホン／マイク兼用ジャックに対して、ヘッドホン用の再生用音声ラインとマイク用の録音用音声ラインとの切替えを行う必要がある。上記の構成によれば、上記ヘッドホン／マイク兼用ジャックにヘッドホンまたはマイクが挿入された場合、上記検知手段によってヘッドホンおよびマイクの何れが挿入されたのかが検知される。そして、その検知結果に基づいて、上記ライン切替手段が、上記ヘッドホン／マイク兼用ジャックに接続されるラインを上記再生用音声ラインと上記録音用音声ラインとの間で切り替える。
【００２２】
これにより、操作者はヘッドホン／マイク兼用ジャックにヘッドホンまたはマイクを接続するのみで、自動的にラインが切り替えられるため、より操作性を向上させることができる。
【００２３】
また、上記情報記録再生装置において、上記リモコンユニットが、装置本体に対して着脱可能である構成とすることができる。
【発明の効果】
【００２４】
本発明の情報記録再生装置では、特にマイク録音時において、マイクは、装置本体のマイクジャックに接続されるのではなく、操作者の手元にあるリモコンユニットのマイクジャックに接続される。このような情報記録再生装置では、操作者がマイク接続の作業が行いやすくなり、マイク録音時における操作性が向上するといった効果を奏する。
【発明を実施するための最良の形態】
【００２５】
本発明の一実施形態について図１ないし図７に基づいて説明すると以下の通りである。
【００２６】
本実施の形態に係る情報記録再生装置は、光磁気ディスク等の記録媒体に、音声データ等のアナログ情報をデジタル化して記録するようになっている。したがって、上記光磁気ディスクは、音声データ等のアナログ情報をデジタル化して書き込むための記憶領域を有している。尚、本発明に係る情報記録再生装置において、使用される記録媒体の種類は特に限定されるものではない。
【００２７】
図１に示す情報記録再生装置（装置本体）１０は、記録媒体として光磁気ディスク５０を用いる。また、情報記録再生装置１０は、その本体内部に、ピックアップ１１、ＲＦ回路１２、ＤＳＰ１３、１ビットアンプ１４、一体化ジャック１５、マイクアンプ１６、Ａ／Ｄコンバータ１７、記録ヘッド１８、システムマイコン１９、表示部２０、および入力キー２１を備えている。
【００２８】
また、上記情報記録再生装置１０は、これとセットとして用いられるリモコン３０を有している。また、リモコン３０は、表示部３１、入力キー３２、およびヘッドホン／マイク兼用ジャック３３を備えている。上記ヘッドホン／マイク兼用ジャック３３は、ヘッドホンジャックとマイクジャックとを兼用する接続ジャックであり、ヘッドホン／マイク兼用ジャック３３にはヘッドホン３４およびマイク３５の何れかが接続可能である（図１においてはマイク３５が接続されている場合を示す）。また、リモコン３０は、一体化ケーブル３６により、情報記録再生装置１０の一体化ジャック１５に接続可能となっている。ここで、一体化ケーブル３６は、リモコン用の制御信号線であるラインＡと、ヘッドホン用の音声信号線であるラインＢと、マイク用の音声信号線であるラインＣとが一体化されたケーブルである。
【００２９】
上記情報記録再生装置１０において、光磁気ディスク５０を再生する場合の信号の流れを図２に基づいて説明すると以下のとおりである。図２においては、再生信号を実線で示している。このとき、リモコン３０のヘッドホン／マイク兼用ジャック３３にはヘッドホン３４が接続されている（図３参照）。
【００３０】
光磁気ディスク５０に記録されている信号は、ピックアップ１１で読み取られ、ＲＦ回路１２で一定のレベルまで増幅された後、ＤＳＰ１０３で所定の信号処理を施される。その信号は、１ビットアンプ１０４で増幅され、一体化ジャック１５に出力される。そこから一体化ケーブル３６（ラインＢ）およびリモコン３０を経由して、ヘッドホン３４から操作者の耳に音声となって出力される。
【００３１】
次に、上記情報記録再生装置１０において、光磁気ディスク５０に対してマイク録音を行う場合の信号の流れを図１に基づいて説明すると以下のとおりである。図１においては、記録信号を実線で示している。また、このとき、リモコン３０のヘッドホン／マイク兼用ジャック３３にはマイク３５が接続されている（図４参照）。
【００３２】
マイク３５から入力された操作者あるいは周囲の音声は、電気信号に変換され、一体化ケーブル３６（ラインＣ）を経由して一体化ジャック１５から情報記録再生装置１０に入力される。その信号は、マイクアンプ１６で一定のレベルまで増幅された後、Ａ／Ｄコンバータ１７でＡ／Ｄ変換されてデジタル信号なる。この信号は、ＤＳＰ１３内で所定の処理をされた後、記録ヘッド１８から光磁気ディスク５０に記録される。
【００３３】
このように、上記情報記録再生装置１０では、マイク録音時に使用されるマイク３５は、装置本体のマイクジャックに接続されるのではなく、操作者の手元にあるリモコン３０のヘッドホン／マイク兼用ジャック３３に接続される。このため、上記情報記録再生装置１０では、操作者がマイク接続の作業が行いやすくなり、マイク録音時における操作性が向上する。
【００３４】
また、上記リモコン３０は、ヘッドホン３４あるいはマイク３５を接続するために、ヘッドホン／マイク兼用ジャック３３を有しているが、本発明はこれに限定されるものではない。すなわち、本発明の情報記録再生装置におけるリモコンは、ヘッドホンジャックとマイクジャックとの両方を別個に備えているものであっても良い。但し、リモコンにヘッドホンジャックとマイクジャックとの両方を備えることはリモコンの大型化を招来し、かつ、録音時に使用されるマイクと再生時に使用されるヘッドホンとの両方をリモコンに同時に接続する必要はないことから、上記リモコン３０のように、ヘッドホンジャックとマイクジャックとを兼用した一つのジャックを備える構成が好ましい。また、ヘッドホンジャックとマイクジャックとを兼用した一つのジャックを備えることにより、操作者は、接続するマイクあるいはヘッドホンを接続する場合に、ジャックの種類を確認する必要が無く、より操作性が向上する。
【００３５】
また、上記リモコン３０は、ヘッドホン３４あるいはマイク３５を接続するために、ヘッドホン／マイク兼用ジャック３３を使用している。このため、ヘッドホン３４またはマイク３５を使用するそれぞれの場合に、ヘッドホン／マイク兼用ジャック３３に対して、ヘッドホン用のラインＢとマイク用のラインＣとの切替えを行う必要がある。このようなラインの切替えを行うための一つの手法としては、リモコンにヘッドホンラインとマイクラインを切り替えるための手動スイッチを設け、操作者が手動でラインの切替えを行うことが考えられる。
【００３６】
但し、操作者が手動でラインの切替えを行う構成では、操作者に対する手間が増加するため、より操作性を向上させるためには、ヘッドホン／マイク兼用ジャック３３にヘッドホン３４またはマイク３５を接続することで、自動的にラインが切り替えられる構成のリモコン３０とすることが好ましい。このような構成のリモコン３０の構造について、図５ないし図７を参照して説明する。
【００３７】
まずは、リモコン３０に対するマイク３５の接続時（すなわち、マイク録音時）を説明する。マイク３５は、図５に示すように、プラグ３５１とマイク認識ピン３５２とを備えている。
【００３８】
図６は、マイク３５をリモコン３０のヘッドホン／マイク兼用ジャック３３に差し込んだ状態を示している。マイク３５から入力されて電気信号に変換される音声信号は、プラグ３５１およびヘッドホン／マイク兼用ジャック３３を介してリモコン３０に入力される。
【００３９】
また、マイク３５がリモコン３０のヘッドホン／マイク兼用ジャック３３に差し込まれた時、マイク認識ピン３５２は、リモコン３０内のマイク検知スイッチ３７をＯＮとする。尚、マイク認識ピン３５２は、リモコン３０に対してマイク３５が回転することを防止する機能を兼ねている。
【００４０】
マイク検知スイッチ３７がＯＮとなった場合、リモコン３０内のライン切替スイッチ３８はこれを検知して、ヘッドホン／マイク兼用ジャック３３をマイク用の音声信号線であるラインＣと接続させるよう動作する。これにより、マイク３５から入力される音声信号を、ラインＣを介して情報記録再生装置１０に入力することが可能となる。すなわち、上記情報記録再生装置１０において、図１で説明したマイク録音時の信号の流れが実現できる。
【００４１】
次に、リモコン３０に対するヘッドホン３４の接続時（すなわち、マイク録音時）を説明する。ヘッドホン３４の接続時には、図７に示すように、リモコン３０のヘッドホン／マイク兼用ジャック３３にはプラグ３４１のみが差し込まれる。このとき、リモコン３０内のマイク検知スイッチ３７はＯＦＦとなる。
【００４２】
マイク検知スイッチ３７がＯＦＦである場合、リモコン３０内のライン切替スイッチ３８は、ヘッドホン／マイク兼用ジャック３３をヘッドホン用の音声信号線であるラインＢと接続させるよう動作する。これにより、情報記録再生装置１０にて再生された音声信号を、ラインＢを介してヘッドホン３４に送ることが可能となる。すなわち、上記情報記録再生装置１０において、図２で説明した再生時の信号の流れが実現できる。
【００４３】
このように、上記リモコン３０において、図６および図７に示す構成とすることで、ヘッドホン／マイク兼用ジャック３３にヘッドホン３４またはマイク３５を接続することで、自動的にラインが切り替えられる。このため、操作者が手動で切り替える場合に比べて、余分な手間が発生せず、また、操作者における動作の切替え忘れなども発生しないため、操作性が向上する。
【００４４】
なお、リモコンに対してマイクとヘッドホンとの何れが接続されているかを認識させるための認識ピンは、上記例ではマイク側に設けられているものであったが、該認識ピンはヘッドホン側に設けられているものであっても良い。但し、上記認識ピンは、マイク側に設けた場合にマイクの回転防止機能を兼ねさせることができる点、あるいは、ヘッドホンについては操作者が（認識ピンの無い）汎用のヘッドホンの使用を希望することが多い点などから、マイク側に備えることが好ましい。
【図面の簡単な説明】
【００４５】
【図１】本発明の実施形態を示すものであり、マイク録音時の情報記録再生装置の要部構成を示すブロック図である。
【図２】本発明の実施形態を示すものであり、再生時の情報記録再生装置の要部構成を示すブロック図である。
【図３】再生時において、ヘッドホンが接続された状態の情報記録再生装置を示す外観図である。
【図４】マイク録音時において、マイクが接続された状態の情報記録再生装置を示す外観図である。
【図５】上記情報記録再生装置のリモコンにおいて、ヘッドホン／マイク兼用ジャックに対応するマイクの形状を示す側面図である。
【図６】上記情報記録再生装置のリモコンにおいて、ヘッドホン／マイク兼用ジャックにマイクが接続された時の状態を示す断面図である。
【図７】上記情報記録再生装置のリモコンにおいて、ヘッドホン／マイク兼用ジャックにヘッドホンが接続された時の状態を示す断面図である。
【図８】従来の情報記録再生装置の要部構成を示すブロック図である。
【図９】従来の情報記録再生装置において、ヘッドホンおよびマイクが接続された状態の情報記録再生装置を示す外観図である。
【００４６】
図である。
【符号の説明】
【００４７】
１０      情報記録再生装置（装置本体）
３０      リモコン（リモコンユニット）
３３      ヘッドホン／マイク兼用ジャック
３４      ヘッドホン
３５      マイク
３７      マイク検知スイッチ（検知手段）
３８      ライン切替スイッチ（ライン切替手段）
５０      光磁気ディスク
ラインＡ  制御信号ライン
ラインＢ  再生用音声ライン
ラインＣ  録音用音声ライン
【図１】
2005339614.tif 000003
【図２】
2005339614.tif 000004
【図３】
2005339614.tif 000005
【図４】
2005339614.tif 000006
【図５】
2005339614.tif 000007
【図６】
2005339614.tif 000008
【図７】
2005339614.tif 000009
【図８】
2005339614.tif 000010
【図９】
2005339614.tif 000011